(57)【要約】【課題】マイクロホン装置及び電子機器の小型化と、部品点数の削減を図ることができる撮像装置を提供する。【解決手段】キャビネット内にクッション部材８１を介してマイクロホン素子８０を弾性支持すると共に、マイクロホン素子８０の背面を裏蓋８４で覆ったマイクロホン装置を、外装ケースの表面に露出させて取り付けた電子機器に関する。裏蓋８４をゴム状弾性体で形成すると共に、裏蓋８４をキャビネット８３に固定ネジ８５を用いて固定した。【選択図】      図９
2004304263.tif 000002
【特許請求の範囲】
【請求項１】
キャビネット内にゴム状弾性体を介してマイクロホン素子を弾性支持すると共に、当該マイクロホン素子の背面を裏蓋で覆ったマイクロホン装置を、外装ケースの表面に露出させて取り付けた電子機器において、
前記裏蓋をゴム状弾性体で形成すると共に、当該裏蓋を前記キャビネットに固定ネジを用いて固定したことを特徴とする電子機器。
【請求項２】
前記裏蓋の前記固定ネジが挿通される部分には、前記外装ケースの穴に嵌合される筒軸部を設け、当該筒軸部を前記固定ネジで締め付けるようにしたことを特徴とする請求項１記載の電子機器。
【請求項３】
前記筒軸部の先端には、前記外装ケースの穴の周縁部と重なり合うフランジ部を設けたことを特徴とする請求項１記載の電子機器。
【発明の詳細な説明】
【０００１】
【発明の属する技術分野】
本発明は、マイクロホン装置が取り付けられたカメラ一体型ＶＴＲ（ビデオテープレコーダ）やテープレコーダ等の電子機器に関し、特に、部品点数を削減して薄型化を可能にしたマイクロホン装置を備えた電子機器に関するものである。
【０００２】
【従来の技術】
従来の、この種の電子機器としては、例えば、図１５に示すような構成を有するカメラ一体型ＶＴＲ（ビデオテープレコーダ）が知られている。このカメラ一体型ＶＴＲ１は、略四角形の筐体からなる外装ケース２と、この外装ケース２の一方の側面に着脱可能に装着されるバッテリー電源３等を備えて構成されている。外装ケース２の一方の側面の、バッテリー電源３が装着される電源装着部の上側には、液晶ディスプレイ４が横方向へ回動自在に取り付けられている。
【０００３】
外装ケース２の幅狭とされた正面の上部には、光学レンズ５の先端に設けられた対物レンズが露出されている。この対物レンズの反対側である外装ケース２の背面の上部にはファインダ６が配設されている。また、外装ケース２の上面には、ファインダ６から近い順に、アクセサリーシュー７とマイクロホン装置８と閃光装置９が配設されている。
【０００４】
マイクロホン装置８は、１個の部品としてユニット化されて構成されている。このマイクロホン装置８が、別部材として形成された保持部材１０によって外装ケース２に固定されている。保持部材１０は、２個の穴１１ａ，１１ｂが設けられた枠状の部材からなり、第１の穴１１ａにはマイクロホン装置８の上部が嵌合され、第２の穴１１ｂにはアクセサリーシュー７が嵌合されて、外装ケース２の上面に嵌合固定されている。
【０００５】
このマイクロホン装置８は、左右の音を個別に集音することができるステレオ構造からなるもので、図１６に断面して示すような構成を有している。即ち、マイクロホン装置８は、２個のマイクロホン素子１２ａ，１２ｂと、この一対のマイクロホン素子１２ａ，１２ｂを弾性支持するクッション部材１３と、このクッション部材１３の表面側を覆う外側キャビネット１４と、この外側キャビネット１４とクッション部材１３との間に介在された内側キャビネット１５と、クッション部材１３の裏面側を覆う裏蓋１６と、内側キャビネット１５及び裏蓋１６の周縁部を覆う環状の外側クッション部材１７と、この外側クッション部材１７を囲う枠状の取付部材１８と、裏蓋１６を内側キャビネット１５に固定する固定ネジ１９を備えて構成されている。
【０００６】
クッション部材１３は、一対のマイクロホン素子１２ａ，１２ｂを弾性支持することによって周囲のキャビネットやフレーム等から伝わってくる振動音を拾わないようにするものである。また、電子機器の内部から回り込んでくる不要な音を拾わないようにするため、一対のマイクロホン素子１２ａ，１２ｂの周囲を外側キャビネット１４と内側キャビネット１５と裏蓋１６で覆うようにしている。そして、固定ネジ１９で裏蓋１６を締め付けることにより一体化させて、密閉構造としている。
【０００７】
更に、このように組み立てられたマイク組立体に対しても、外装ケースから伝わってくる振動音を拾わないようにするため、外側クッション部材１７を用いている。この外側クッション部材１７を介して取付部材１８でマイク組立体を、外装ケースを構成する金属板に固定することにより、周囲の部品から浮かせて振動音がマイク組立体に伝わらないようにしている。
【０００８】
また、従来の他の電子機器としては、例えば、特許文献１に記載されているようなものがある。この特許文献１には、小型で携帯の便利なカメラ一体型ＶＴＲに関するものが記載されている。このカメラ一体型ＶＴＲは、外装ケースの頂部に配設され、マイクホルダに固定されている。
【０００９】
更に、従来の他の電子機器としては、例えば、特許文献２に記載されているようなものがある。この特許文献２には、光学式ファインダとファインダとして使用可能な液晶モニタを備えたカメラ一体型ＶＴＲに関するものが記載されている。このカメラ一体型ＶＴＲは、外装ケースとファインダ枠との間に形成されたスペースにマイクが配置されている。
【００１０】
【特許文献１】
特開平６−２５３１８８号公報（第３頁、図１）
【特許文献２】
特開平８−２０５００３号公報（第２頁、図１）
【００１１】
【発明が解決しようとする課題】
しかしながら、上述した図１６等に示す先行技術に係る電子機器においては、マイクロホン装置が一対のマイクロホン素子１２ａ，１２ｂとクッション部材１３と外側キャビネット１４と内側キャビネット１５と裏蓋１６と外側クッション部材１７と取付部材１８と固定ネジ１９とで構成されていたため、部品点数が多くて比較的複雑な構造となっていた。その結果、マイクロホン装置全体が大きなものになっており、小型化が妨げられていたばかりでなく、コスト高を招いているという課題があった。
【００１２】
本発明は、このような先行技術の課題を解決するためになされたものであり、少ない部品点数でありながらマイクロホン素子の浮き構造及び密閉構造を可能とし、マイクロホン装置及び電子機器の小型化と、部品点数の削減を図ることができるようにすることを目的としている。
【００１３】
【課題を解決するための手段】
前記課題を解決し、前記目的を達成するため、本出願の請求項１記載の電子機器は、キャビネット内にゴム状弾性体を介してマイクロホン素子を弾性支持すると共に、マイクロホン素子の背面を裏蓋で覆ったマイクロホン装置を、外装ケースの表面に露出させて取り付けた電子機器において、裏蓋をゴム状弾性体で形成すると共に、裏蓋をキャビネットに固定ネジを用いて固定したことを特徴としている。
【００１４】
本出願の請求項２記載の電子機器は、裏蓋の固定ネジが挿通される部分には、外装ケースの穴に嵌合される筒軸部を設け、その筒軸部を固定ネジで締め付けるようにしたことを特徴としている。
【００１５】
本出願の請求項３記載の電子機器は、筒軸部の先端には、外装ケースの穴の周縁部と重なり合うフランジ部を設けたことを特徴としている。
【００１６】
前述のように構成したことにより、本出願の請求項１記載の電子機器では、ゴム状弾性体で形成した裏蓋を固定ネジでキャビネット側に固定するようにしたため、金属製の裏蓋の使用を廃止して、部品点数の削減と、構造の簡素化を図ることができ、マイクロホン装置及びこれが用いられる電子機器の小型化を図ることができる。
【００１７】
本出願の請求項２記載の電子機器では、裏蓋の筒軸部を固定ネジで締め付けることにより、締付部の強度を確保し、固定ネジの締め込みによる裏蓋の破損を防止することができる。
【００１８】
本出願の請求項３記載の電子機器では、筒軸部に外装ケースを嵌め合わせることにより、周囲の部品から浮かせて振動音がマイク組立体に伝わらないようにすると共に、マイクロホン装置が外装ケースから抜け難くすることができる。
【００１９】
【発明の実施の形態】
以下、本発明の実施の例を、添付図面を参照して説明する。図１〜図１４は、本発明の実施の例を示すものである。即ち、図１は本発明の電子機器の一実施例を正面側から見た斜視図、図２は図１から閃光装置をポップアップさせた状態の斜視図、図３は背面側から見た斜視図、図４は閃光装置のポップアップ機構等を説明するための斜視図、図５は閃光装置を格納位置に収納した説明図、図６は閃光装置をポップアップ位置に跳ね上げた説明図、図７は閃光装置のポップアップ角度の説明図、図８はマイクロホン装置の分解斜視図、図９はマイクロホン装置の断面図、図１０は閃光装置の斜視図、図１１は閃光装置の分解斜視図、図１２は閃光装置の反射鏡の断面図、図１３Ａ，Ｂ，Ｃ及び図１４Ａ，Ｂ，Ｃは反射鏡による光反射の状態を示す説明図である。
【００２０】
図１、図２及び図３に示すように、本発明の電子機器の一実施例は、カメラ一体型ＶＴＲに適用したものである。このカメラ一体型ＶＴＲ２０は、略四角形の筐体からなる中空の外装ケース２１と、この外装ケース２１の一方の側面に着脱可能に装着されるバッテリー電源２２と、外装ケース２１の正面に配置される対物レンズ２４を有する光学レンズ２３と、ファインダやタッチ操作パネルの機能をも兼ねる液晶ディスプレイ２５等を備えて構成されている。
【００２１】
外装ケース２１は、対物レンズ２４及びフォーカスリング２６が露出された正面部２１ａと、正面から見て右側の側面を形成する右側面部２１ｂと、左側の側面を形成する左側面部２１ｃと、背面を形成する背面部２１ｄと、図に現れない底面部とから構成されている。光学レンズ２３は外装ケース２１の上部に配設されていて、その後方にファインダ２８が配置されている。ファインダ２８は背面部２１ｄに露出されており、その周縁を囲むようにアイカップ２９が取り付けられている。
【００２２】
外装ケース２１の右側面部２１ｂの下部には電源収納部が設けられており、この電源収納部にバッテリー電源２２が着脱可能に装着されている。この右側面部２１ｂの上部には液晶ディスプレイ２５が収納される凹部３０が設けられている。液晶ディスプレイ２５は、右側面部２１ｂに設けられたヒンジ手段３１によって正面側の側部が回動自在に支持されている。これにより、液晶ディスプレイ２５は、図１に示す閉じた状態と、図３に示す開いた状態を取ることが可能となっている。
【００２３】
外装ケース２１の上部には、右側面部２１ｂの上部と左側面部２１ｃの上部とで挟まれるように空間部が設けられており、この空間部内には、フォーカスリング２６に近い側から順に閃光装置３３とマイクロホン装置３４とアクセサリーシュー３５とが配設されている。アクセサリーシュー３５の一端は背面部２１ｄ側に開口されていて、外部のストロボ装置等のアクセサリーが着脱自在とされている。
【００２４】
閃光装置３３は、カメラ一体型ＶＴＲ２０の撮像動作に連動して連続的に或いは間欠的に発光して被写体を照らし出すもので、常時は外装ケース２１内に格納されていて、使用時にポップアップされて主に発光部が露出されるものである。この閃光装置３３は、図１０及び図１１に示すように、プロテクター３６と、光源としてのキセノン管３７と、反射鏡（リフレクター）３８と、ホルダ３９と、シールドゴム４０と、フレキシブルプリント配線板（以下「フレキ板」という。）４１を備えて構成されている。
【００２５】
反射鏡３８は、図１１に示すように、上下に対向された略円筒状をなす一対の上面部３８ａ及び下面部３８ｂと、左右に対向された一対の側面部３８ｃ，３８ｄと、これらの背面側に連続された光源収納部４３とから構成されている。上下面部３８ａ，３８ｂと左右側面部３８ｃ，３８ｄは、背面側を狭めることによって開口部４４側が広げられた略ラッパのような断面形状をなしており、その背面側を閉じるように光源収納部４３が一体に設けられている。
【００２６】
図１２に示すように、上下面部３８ａ，３８ｂ及び光源収納部４３は、中心面Ｌを基準として上下方向に対称となる形状とされている。この上下面部３８ａ，３８ｂの各内面が上下方向に対向された対をなす第１の反射面４５ａ，４５ｂを構成し、光源収納部４３の内面が第２の反射面４６を構成している。これら第１の反射面４５ａ，４５ｂ、第２の反射面４６及び左右側面部３８ｃ，３８ｄの内面である第３の反射面４７は、光を良く反射できるように、例えば、鏡面加工等を施すことによって形成されている。
【００２７】
更に、第１の反射面４５ａ，４５ｂは、それぞれ全体として略円筒状をなす円筒曲面の一部によって形成されている。この第１の反射面４５ａ，４５ｂの曲面の断面形状としては、例えば、円形、楕円形、放物線、二次曲線、三次曲線その他の曲線を適用することができる。また、左右の側面部３８ｃ，３８ｄは、適当な大きさの曲率半径を有する曲面であってもよく、また、適当な角度に傾斜された平面であってもよい。
【００２８】
光源収納部４３の両側面には、第２の反射面４６と同様の形状を有する穴４３ａが開口されている。この穴４３ａからキセノン管３７を出し入れすることにより、光源収納部４３の中央部に設けられ且つその内面が第２の反射面を構成する中央穴４８にキセノン管３７が着脱自在に装着される。中央穴４８の内径はキセノン管３７の外径と略同一に設定されており、ほとんどガタのない状態でキセノン管３７が中央穴に嵌り合うようにされている。これにより、光源であるキセノン管３７は、第２の反射面４６によって周囲が１８０度を超えて囲まれるように構成されている。そして、第１の反射面４５ａ，４５ｂと第２の反射面４６とが交わる部分の間に、第２の反射面４６を形成する曲率半径の２倍の長さよりも短い隙間を設定するクビレ部４９，４９がそれぞれ形成されている。
【００２９】
光源収納部４３の中央穴４８の内面である第２の反射面４６は、第１の反射面４５ａ，４５ｂとは異なって、その中心Ｏを曲率半径Ｒの中心とすることによって得られる円筒状の円筒面部の一部に平面部が設けられた非円筒状に形成されている。そのため、光源収納部４３にキセノン管３７を挿入するだけで位置決めを行うことができ、キセノン管３７の位置を反射面の所定位置に精度良く確実に配置することができる。
【００３０】
即ち、第２の反射面４６は、中央穴４８の中心Ｏを中心点とすると共にキセノン管３７の直径の１／２を曲率半径Ｒとすることによって得られる円弧が軸方向に連続された円筒状の円筒面部からなる上下一対の前側円筒面５０ａ，５０ｂ及び後側円筒面５１と、一対の前側円筒面５０ａ，５０ｂの後方に連続されると共に中心面Ｌと平行に延在された上下一対の平行平面５２ａ，５２ｂと、後側円筒面５１の前方に連続されると共に中心面Ｌに対して所定角度傾斜され且つ前端部が一対の平行平面５２ａ，５２ｂに連続される一対の傾斜平面５３ａ，５３ｂとから構成されている。
【００３１】
一対の平行平面５２ａ，５２ｂは、中央穴４８の中心Ｏを通り且つ中心面Ｌと直交する方向に展開される基準面（Ｘ軸と直交する方向であるＹ軸上の面）５４と円筒面部４６とが交差する点Ｃ１及びＣ２を一端として接線方向に延在され且つ一対の傾斜平面５３ａ，５３ｂと交差する点Ｅ１及びＥ２を他端とする平面である。この点Ｃ１及びＣ２は、基準面５４上の点であることが最も好ましいが、これに限定されるものではない。
【００３２】
即ち、平行平面５２ａ，５２ｂとは、厳密な意味で中心面Ｌと平行であることを意味するものではない。例えば、基準面５４から開口部４４側に変位した位置に点Ｃ１及びＣ２を設定しても良く、この場合の平行平面は、開口部４４側よりも背面側が広くなる。また、これとは逆に、基準面５４から背面側に変位した位置に点Ｃ１及びＣ２を設定しても良く、この場合の平行平面は、背面側よりも開口部４４側が広くなる。
【００３３】
一対の傾斜平面５３ａ，５３ｂは、一対の第１の反射面４５ａ，４５ｂと一対の前側円筒面５０ａ，５０ｂとが交差する点Ｂ１及びＢ２と中央穴４８の中心Ｏを結んだ線の延長線と後側円筒面５１とが交差する点Ｄ１及びＤ２を一端として接線方向に延在され且つ一対の傾斜平面５３ａ，５３ｂと交差する点Ｅ１及びＥ２を他端とする平面である。この点Ｅ１及びＥ２も点Ｃ１及びＣ２と同様に、図１２に示した位置に限定されるものではなく、点Ｃ１及びＣ２の位置に対応して前後方向へ適当に変位可能なものである。
【００３４】
このような構成を有する反射鏡３８の材質としては、例えば、ドイツ国、アノラッド社製の「ＭＩＲＯ（商標名）」を適用することができる。この「ＭＩＲＯ（商標名）」は、アルミニウムの基材表面に高純度アルミニウムの真空蒸着を施し、更に透明な酸化膜を蒸着して増反射処理を行ったものである。しかしながら、反射鏡３８の材質は、これに限定されるものではなく、光に対する全反射率の高いものであれば、各種の材料を用いることができるものである。
【００３５】
光源としてのキセノン管３７は、高圧キセノンガスが封入された円筒状のランプ３７ａと、このランプ３７ａの両端から突出された電極端子３７ｂ，３７ｂを有している。このキセノン管３７を反射鏡３８の中央穴４８に挿入すると、両端の電極端子３７ｂ，３７ｂ及びランプ３７ａの両端部が光源収納部４３の両側部から側方に突出される。
【００３６】
このキセノン管３７が装着された反射鏡３８は、その背面に配置されるホルダ３９に装着されている。ホルダ３９は、断面形状が略コ字状をなす樋状の部材からなり、背面部３９ａとその両端に連続された上面部３９ｂ及び下面部３９ｃとで囲まれた凹部５５内に反射鏡３８の光源収納部４３が挿入されて嵌合される。このホルダ３９の上面部３９ｂ及び下面部３９ｃには、プロテクター３６を係合保持するための係合爪５６ａと、プロテクター３６を所定深さに位置決めするための複数の位置決め突部５６ｂがそれぞれ設けられている。
【００３７】
ホルダ３９の材質としては、例えば、ＡＢＳ樹脂（アクリロニトリル・ブタジエン・スチレン樹脂）が好適であるが、これに限定されるものではなく、他のプラスチックは勿論のこと、プラスチック以外の金属等を用いることもできる。
【００３８】
このホルダ３９と反射鏡３８が、シールドゴム４０により締め付けられて一体的に固定されている。シールドゴム４０は、キセノン管３７の両端を支持する一対の支持部４０ａ，４０ａと、両支持部４０ａ，４０ａを連結する連結部４０ｂとからなり、弾性を有する材料によって一体に構成されている。一対の支持部４０ａ，４０ａには、キセノン管３７の各端部が挿入される支持穴４０ｃが設けられている。このシールドゴム４０の材質としては、例えば、シリコンゴムが好適であるが、他のゴム状弾性部材を用いることができることは勿論である。
【００３９】
シールドゴム４０の背面には、キセノン管３７に電力を供給する電源との間を電気的に接続するためのフレキ板４１が配設されている。フレキ板４１は、キセノン管３７の軸方向両端に突出された電極端子３７ｂ，３７ｂに接続される電極端子部４１ａ，４１ａと、反射鏡３８に接続されるアース端子部４１ｂを有している。これらの端子部４１ａ，４１ａ及び４１ｂを電極端子３７ｂ，３７ｂ及び反射鏡３８に接続することにより、電気的な接続が行われる。
【００４０】
この反射鏡３８の前部には、透明な材料で形成されたプロテクター３６が着脱自在に装着される。プロテクター３６は、反射鏡３８の光源収納部４３の中途部から前側を覆う一面にのみ開口された本体部３６ａと、光源収納部４３に収納されたキセノン管３７の電極端子３７ｂ，３７ｂの外側を覆うカバー部３６ｂ，３６ｂとからなり、正面にはフレネルレンズ部５７が設けられている。そして、本体部３６ａの上面と下面には、ホルダ３９の上下の係合爪５６ａにそれぞれ係合される係合穴５８が設けられている。
【００４１】
このような構成を有する閃光装置３３は、例えば、次のようにして簡単に組み立てることができる。まず、反射鏡３８の光源収納部４３に光源であるキセノン管３７を装着する。これは、光源収納部４３の穴４３ａにキセノン管３７を側方から挿入し、両端部から電極端子３７ｂ，３７ｂをそれぞれ突出させる。
【００４２】
次に、ホルダ３９の凹部５５に反射鏡３８の光源収納部４３を嵌め込み、ホルダ３９で反射鏡３８を支持する。次いで、シールドゴム４０の両端の支持穴４０ｃ，４０ｃに電極端子３７ｂ，３７ｂをそれぞれ差し込み、各支持部４０ａで光源収納部４３及びホルダ３９の側面を覆うようにする。この際、予めフレキ板４１のアース端子部４１ｂをホルダ３９に対して電気的に接続させておくようにする。
【００４３】
次に、シールドゴム４０を装着した後、フレキ板４１の両端の電極端子部４１ａ，４１ａをキセノン管３７の電極端子３７ｂ，３７ｂの外側にそれぞれ重ね合わせる。そして、ハンダ付けによって電極端子３７ｂと電極端子部４１ａを電気的に接続する。その後、反射鏡３８の前部にプロテクター３６を取り付ける。これにより、図１０に示すように、組立作業が完了して閃光装置３３が得られる。
【００４４】
このように組み立てられた閃光装置３３の作用について、例えば、図１３Ａ，Ｂ，Ｃ及び図１４Ａ，Ｂ，Ｃを参照して説明する。図示実施例は、最大配光角αを４５度（上配光角αｕが２２．５度であって、下配光角αｄも２２．５度）に設定すると共に、キセノン管３７の中心Ｏを後側円筒面５１の焦点としたものである。
【００４５】
図１３Ａは、キセノン管３７の中心Ｏから出た光のうち、開口部４４に直接向かう光であって、上配光角αｕの範囲内の光Ｓ１及び下配光角αｄの範囲内の光Ｓ２の光路を示すものである。この場合、光Ｓ１及び光Ｓ２は、一対の第１の反射面４５ａ，４５ｂの開口部４４側先端の点Ａ１から点Ａ２までの範囲、即ち、最大配光角α（α＝αｕ＋αｄ）内において、そのまま直線的に進行して前方に放射される。
【００４６】
このとき、キセノン管３７の中心Ｏから出た光のうち、最大配光角αの角度範囲内において背面側に向かう光Ｓ３は、後側円筒面５１の点Ｄ１から点Ｄ２の間に照射される。この点Ｄ１〜Ｄ２間は、後側円筒面５１の焦点である中心Ｏを中心点として曲率半径Ｒ（キセノン管３７の半径）によって得られる円弧であるため、後側円筒面５１に入射されたその光Ｓ３は、通ってきた光路をそのまま戻って開口部４４側に向かう反射光となる。
【００４７】
図１３Ｂは、キセノン管３７の中心Ｏから出た光であって、第２の反射面４６側に向かう光のうち、点Ｃ１から点Ｅ１までの間の上平行平面５２ａに照射される光（点Ｃ２から点Ｅ２までの間の下平行平面５２ｂに照射される光は、上下対称形状となるため同様である。）Ｓ４の光路を示すものである。
【００４８】
キセノン管３７の中心Ｏから出た光Ｓ４は、上平行平面５２ａに対して背面側に傾斜して入射されるため、その反射光は、更に背面側に傾斜して後側円筒面５１に入射される。この後側円筒面５１に入射された光は、その入射角度に応じて開口部４４側に向きを変えて反射され、下配光角αｄの範囲内で開口部４４側に進行し、その開口部４４から前方に放射される。
【００４９】
図１３Ｃは、キセノン管３７の中心Ｏから出た光であって、第２の反射面４６側に向かう光のうち、点Ｂ１から点Ｃ１までの間の上前側円筒面５０ａに照射される光（点Ｂ２から点Ｃ２までの間の下前側円筒面５０ｂに照射される光は、上下対称形状となるため同様である。）Ｓ５の光路を示すものである。
【００５０】
キセノン管３７の中心Ｏから出た光Ｓ５は、上前側円筒面５０ａに対して垂直に照射されるため、その反射光は、通ってきた光路をそのまま戻って反対側に向かい、下平行平面５２ｂに入射される。この下平行平面５２ｂに入射された光は、更に背面側に反射されて後側円筒面５１に入射される。この後側円筒面５１に入射された光は、その入射角度に応じて開口部４４側に向きを変えて反射され、下配光角αｄの範囲内で開口部４４側に進行し、その開口部４４から前方に放射される。
【００５１】
図１４Ａは、キセノン管３７の中心Ｏから出た光であって、開口部４４側に向かう光のうち、点Ａ１から点Ｂ１までの間の上第１の反射面４５ａに照射される光（点Ａ２から点Ｂ２までの間の下第１の反射面４５ｂに照射される光は、上下対称形状となるため同様である。）Ｓ６及びＳ７の光路を示すものである。
【００５２】
キセノン管３７の中心Ｏから出た光Ｓ６及びＳ７は、上第１の反射面４５ａに対して開口部４４側に傾斜して入射される。このとき、上第１の反射面４５ａの焦点が点Ｔであるため（下第１の反射面４５ｂも同様である。）、上第１の反射面４５ａで反射された反射光は、光Ｓ６及びＳ７のいずれの場合でも、その焦点Ｔに向かうように進行する。これにより、図１３Ａの直射光の場合と同様に、上第１の反射面４５ａである点Ａ１〜Ｂ１のエリア内に入った光は、すべて上配光角αｕ内の反射光となって開口部４４から前方に放射される。
【００５３】
このとき、キセノン管３７の中心Ｏから出た光のうち、点Ａ１から点Ｂ１までの範囲（点Ａ２から点Ｂ２までの範囲の場合も同様である。）内において背面側に向かう光Ｓ８は、後側円筒面５１の点Ｄ１から点Ｄ２の間に照射される。従って、後側円筒面５１の点Ｄ１〜Ｄ２間に入射された光Ｓ８は、通ってきた光路をそのまま戻り、上第１の反射面４５ａ（下第１の反射面４５ｂの場合も同様である。）で反射されて、開口部４４から前方に放射される。
【００５４】
図１４Ｂは、キセノン管３７の中心Ｏから出た光であって、第２の反射面４６側に向かう光のうち、点Ｅ１から点Ｄ１までの間の上傾斜平面５３ａに照射される光（点Ｅ２から点Ｄ２までの間の下平行平面５３ｂに照射される光は、上下対称形状となるため同様である。）Ｓ９及びＳ１０の光路を示すものである。
【００５５】
キセノン管３７の中心Ｏから出た光Ｓ９は、上傾斜平面５３ａに対して傾斜して入射されるため、その反射光は、その入射角度に応じて開口部４４側に向きを変えて反射される。そして、前方の下第１の反射面４５ｂで反射されて上方に向きを変え、配光角αの範囲内で開口部４４から前方に放射される。
【００５６】
また、キセノン管３７の中心Ｏから出た光Ｓ１０は、上傾斜平面５３ａに対して垂直に入射されるため、その反射光は、通ってきた光路をそのまま戻って反対側に向かう。更に、その反射光は、前方の下第１の反射面４５ｂで反射されて上方に向きを変える。そして、焦点Ｔに向かうように進行し、その開口部４４から前方に放射される。
【００５７】
図１４Ｃは、キセノン管３７の中心Ｏから出た光であって、第２の反射面４６側に向かう光のうち、点Ｃ１から点Ｅ１までの間の上平行平面５２ａに照射される光（点Ｃ２から点Ｅ２までの間の下平行平面５２ｂに照射される光は、上下対称形状となるため同様である。）Ｓ１１と、点Ｂ２から点Ｃ２までの間の下前側円筒面５０ｂに照射される光（点Ｂ１から点Ｃ１までの間の上前側円筒面５０ａに照射される光は、上下対称形状となるため同様である。）Ｓ１２の光路を示すものである。
【００５８】
キセノン管３７の中心Ｏから出た光Ｓ１１は、上平行平面５２ａに対して傾斜して入射されるため、その反射光は、その入射角度に応じて背面側に向きを変えて反射される。その反射光は後側円筒面５１に入射され、その入射角度に応じて開口部４４側に向きを変えて反射される。そして、開口部４４側に進行し、配光角αの範囲内で開口部４４から前方に放射される。
【００５９】
また、キセノン管３７の中心Ｏから出た光Ｓ１２は、下前側円筒面５０ｂに対して垂直に入射されるため、その反射光は、通ってきた光路をそのまま戻って反対側に向かう。そして、上平行平面５２ａに入射された後、上述した光１１と同様の光路を経て、上平行平面５２ａ及び後側円筒面５１を介して、進行方向を前方に変え、開口部４４から前方に放射される。
【００６０】
このように、本実施例の閃光装置３３によれば、光源であるキセノン管３７から直接前方に放射される光は、直接又は第１の反射面４５ａ，４５ｂで反射されて従来と同様に前方に放射されるため変化はないが、キセノン管３７から後方に放射される光については、第２の反射面４６によって大きく反射効率が高められている。
【００６１】
即ち、第２の反射面４６の反射光を考えた場合に、点Ｄ１から点Ｄ２までの後側円筒面５１では、０度から±２２．５度までの範囲で反射される。また、点Ｃ１から点Ｅ１までの上平行平面５２ａ及び点Ｃ２から点Ｅ２までの下平行平面５２ｂに入射される光は、後側円筒面５１で１次反射された後、そのまま直に或いは第１の反射面４５ａ，４５ｂで２次反射されて前方に放射される。また、点Ｅ１から点Ｄ１までの上傾斜平面５３ａ及び点Ｅ２から点Ｄ２までの下傾斜平面５３ｂに入射される光は、その平面で開口部４４ａ側に反射され、そのまま直に或いは第１の反射面４５ａ，４５ｂで２次反射されて前方に放射される。
【００６２】
また、点Ｂ１から点Ｃ１までの上前側円筒面５０ａ及び点Ｂ２から点Ｃ２までの下前側円筒面５０ｂに入射される光は、上下の平行平面５２ａ，５２ｂ又は傾斜平面５３ａ，５３ｂで１次反射された後、後側円筒面５１又は第１の反射面４５ａ，４５ｂで２次反射され、されに場合により３次反射或いはそれ以上の反射を繰り返して、前方の開口部４４ａからすべて外部に放射される。これにより、反射鏡３８内部における反射吸収による熱変換を極力抑えて外部に出力し、多くの光を有効光として利用することができる。従って、本実施例によれば、直射光と反射光とが所定の配光角内においてすべて効率良く放射することが可能となる。
【００６３】
上述したような構成を有する閃光装置３３が、図４に示すように、ストロボフレーム６０の先端部に取り付けられている。ストロボフレーム６０は、閃光装置３３が装着される保持部６０ａと、この保持部６０ａの後方に連続された支持部６０ｂを有している。保持部６０ａの先端には、閃光装置３３のプロテクター３６のフレネルレンズ部５７が嵌合される穴を有する正面片６１が設けられている。また、保持部６０ａの下面には、後述するプランジャ機構が収納される凹部が設けられている。更に、保持部６０ａの後端には、ストロボフレーム６０をベースプレート６２に回動自在に支持するための一対の支持片６０ｃ，６０ｃが設けられている。
【００６４】
ベースプレート６２は、略長方形をなす板状の部材からなり、長手方向中途部に段部６２ａを設けることにより、その段部６２ａから前側に下平面部６２ｂが設定され、後側に上平面部６２ｃが設定されている。この段部６２ａの上部から前側に閃光装置３３が搭載され、その後側にマイクロホン装置３４とアクセサリーシュー３５が搭載される。そのため、段部６２ａの上部には、ストロボフレーム６０を回動自在に支持するための一対の軸受片６３，６３が幅方向に所定の間隔をあけて対向するように設けられている。
【００６５】
一対の軸受片６３，６３の間に一対の支持片６０ｃ，６０ｃが介在され、これらに挿通された支持軸６４によってストロボフレーム６０がベースプレート６２に支持されている。更に、支持軸６４にはポップアップバネ６５が装着されており、一方のバネ片をベースプレート６２に係止し、他方のバネ片をストロボフレーム６０に係止することにより、ポップアップバネ６５のバネ力によってストロボフレーム６０が下平面部６２ｂから離れる方向に常時付勢されている。
【００６６】
下平面部６２ｂの段部６２ａ側には、閃光装置３３を格納位置にロックする回動レバー６６と、この回動レバー６６を動作させてロックを解除するプランジャー機構６７とが設けられている。回動レバー６６は、平面形状がＬ字状に形成されたアーム状の部材からなり、一方のアーム片の中途部に回動自在に挿通された枢軸６８によって下平面部６２ｂに回動自在に支持されている。この一方のアーム片の先端部に、上方に立ち上げられたロック爪６６ａが設けられている。そして、２つのアーム片が交差する部分に、上方に突出された連結ピン６６ｂが設けられている。
【００６７】
回動レバー６６の連結ピン６６ｂには、プランジャー機構６７のコア７０が回動自在に係合されている。プランジャー機構６７は、所定距離を直線的に進退移動する可動部であるコア７０と、このコア７０が挿入されるコイルを保持するホルダ７１とから構成されている。このプランジャー機構６７に対する通電の有無により、後述するように回動レバー６６が動作されて、ストロボフレーム６０のロックが解除される。
【００６８】
また、ベースプレート６２の下平面部６２ｂには、ストロボフレーム６０の所定以上の跳ね上がりを防止するためのストッパ部材７３がネジ等の固着手段によって固定されている。ストッパ部材７３には、ストロボフレーム６０の幅方向両側に対向される一対のストッパ受け片７３ａ，７３ａが設けられている。各ストッパ受け片７３ａは、上下方向に延びる長穴を有し、それぞれの長穴内に、ストロボフレーム６０の幅方向両側に設けた突起状のストッパ７４，７４が摺動自在に挿入されている。
【００６９】
ストロボフレーム６０には、ストロボキャビネット７５が着脱可能に装着されている。このストロボキャビネット７５は、ストロボフレーム６０の上面を覆う上面部７５ａと、前面の前面部７５ｂと、左右の両側面を覆う側面部７５ｃ，７５ｄとから構成されている。ストロボフレーム６０の上面部７５ａは、ドーム状に若干上方へ膨出されている。また、前面部７５ｂには、ストロボフレーム６０の正面片６１が嵌合される切欠き７５ｅが設けられている。
【００７０】
また、ベースプレート６２の下平面部６２ｂの下面には、閃光装置３３がポップアップ位置へ移動した後の内部を覆い隠す目隠し板７７が回動自在に取り付けられている。目隠し板７７は、略四角形をなす板状の部材からなり、後端部において側方に突出された軸ピンによって下平面部６２ｂに枢支されている。この目隠し板７７には、図６に示すように、下方への回動を規制する凸部７７ａが軸ピンの近傍に設けられている。
【００７１】
前記ストロボフレーム６０、ベースプレート６２及びストッパ部材７３の材質としては、例えば、ステンレス合金やアルミニウム合金その他の金属材料が好適であるが、エンジニアリングプラスチックやその他の材料を用いることもできる。また、ストロボキャビネット７５の材質としては、例えば、エンジニアリングプラスチックが好適であるが、アルミニウム合金やステンレス鋼その他の金属材料を用いることもできる。
【００７２】
このような構成を有する閃光装置３３のポップアップ動作を、図５及び図６に示す。図５は、閃光装置３３がベースプレート６２の下平面部６２ｂに設けられた格納位置に格納された状態を示す図であり、図６は、閃光装置３３がポップアップ動作してポップアップ位置に移動した状態を示す図である。
【００７３】
図５に示す状態では、ストロボフレーム６０の一部が回動レバー６６のロック爪６６ａに係合されているため、閃光装置３３は格納位置に保持されている。この状態から、プランジャー機構６７を動作させてコア７０を前進させることにより、回動レバー６６が図４において反時計方向に回動される。その結果、ロック爪６６ａによるストロボフレーム６０のロックが解除されることにより、ポップアップバネ６５のバネ力によってストロボフレーム６０が跳ね上げられる。
【００７４】
これにより、ストロボフレーム６０が図５に示す姿勢（図１の状態）から図６に示す姿勢（図２の状態）に変化し、閃光装置３３の発光部であるフレネルレンズ部５７が露出され、発光動作が可能となる。このとき、図６に示すように、ストロボフレーム６０のストッパ７４がベースプレート６２に固定されているストッパ部材７３のストッパ受け片７３ａの長穴の上端縁に当接され、これ以上の跳ね上がりが防止される。また、目隠し板７７の自由端側が自重によって略水平の状態になり、内部を隠すように格納位置を覆う姿勢に変化する。
【００７５】
この場合、図７に示すように、閃光装置３３のポップアップ角度αは約１５度と小さなものである。本実施例によれば、このような小さなポップアップ角度αであっても、ポップアップ角度を所定位置まで移動させて正常な発光動作を行うことができる。これに対して、従来の閃光装置では、図１４に示すように、そのポップアップ角度βは約３５度と比較的大きなものであった。従って、本実施例の場合には、ポップアップ角度の減少分だけカメラ一体型ＶＴＲの小型化を図ることができる。
【００７６】
次に、閃光装置３３を格納位置に格納する場合には、ストロボキャビネット７５をポップアップバネ６５のバネ力に抗して下平面部６２ｂ側に押圧する。これにより、ストロボフレーム６０がコア７０側の抵抗力に抗して下方に移動し、その押圧力によりロック爪６６ａが後退動作する。そして、ロック爪６６ａの復帰時に、ロック爪６６ａが係合部を乗り越えて下平面部６２ｂに係合される。その結果、閃光装置３３の姿勢が図６に示す状態から図５に示す状態に変化し、閃光装置３３が格納位置においてロックされる。
【００７７】
マイクロホン装置３４は、左右の音を個別に集音することができるステレオ構造のもので、図８及び図９に示すような構成を備えている。即ち、マイクロホン装置３４は、２個のマイクロホン素子８０，８０と、この一対のマイクロホン素子８０，８０を弾性支持するクッション部材８１と、このクッション部材８１の表面側を覆う外側キャビネット８２と、この外側キャビネット８２とクッション部材８１との間に介在された内側キャビネット８３と、クッション部材８１の裏面側を覆う裏蓋８４と、この裏蓋８４を内側キャビネット８３に固定する固定ネジ８５を備えて構成されている。
【００７８】
一対のマイクロホン素子８０，８０は、フレキシブルプリント配線板（以下「フレキ板」という。）８６により所定間隔を保持して電気的に接続されている。一対のマイクロホン素子８０，８０は、ゴム状弾性体によって形成されたクッション部材８１に設けた筒状のボス部８１ａにそれぞれ嵌合されている。このボス部８１ａで浮かせるようにして各マイクロホン素子８０がクッション部材８１に弾性的に支持されている。クッション部材８１の一面側には、その周縁部を囲うように囲い縁８１ｂが設けられている。
【００７９】
外側キャビネット８２の上面は、ストロボキャビネット７５に対応するよう同様の曲面によってドーム状に形成されている。この外側キャビネット８２には、一対のマイクロホン素子８０，８０に対向するように多数の集音穴８２ａが設けられている。外側キャビネット８２の内部には、内側キャビネット８３が一体的に嵌合固定されている。内側キャビネット８３は、一対のマイクロホン素子８０，８０と対向する部分と前側部分を避けるように桟を張り渡した枠状の部材からなり、内面の略中央部に下方に突出するネジ軸部８３ａが設けられている。このネジ軸部８３ａは、クッション部材８１の略中央部の穴に挿通される。
【００８０】
裏蓋８４は、ゴム状弾性体によって板状に形成されており、その略中央部には一面側に突出する筒状のボス部８４ａが設けられている。裏蓋８４のボス部８４ａの先端には、半径方向外側に展開されるフランジ部８４ｂが設けられている。このボス部８４ａは、ベースプレート６２の上平面部６２ｃに設けられた貫通穴６２ｄに嵌合される。このフランジ部８４ｂが固定ネジ８５の締め込みによって上平面部６２ｃに圧接され、共にゴム状弾性体からなるクッション部材８１及び裏蓋８４を介してマイクロホン装置３４が弾性支持されている。
【００８１】
外側キャビネット８２及び内側キャビネット８３の材質としては、例えば、エンジニアリングプラスチックが好適であるが、アルミニウム合金やステンレス鋼その他の金属材料を用いることもできる。
【００８２】
このような構成を有するマイクロホン装置３４は、例えば、次のようにして簡単に組み立てることができる。まず、一対のマイクロホン素子８０，８０をクッション部材８１のボス部８１ａに装着する。次に、予め内側キャビネット８３が固定されている外側キャビネット８２に、マイクロホン素子８０が装着されているクッション部材８１を取り付ける。
【００８３】
次に、予めベースプレート６２に固定された裏蓋８４に、キャビネットが装着されているクッション部材８１を臨ませる。この際、裏蓋８４は、フランジ部８４ｂを下にしてボス部８４ａを、上平面部６２ｃの貫通穴６２ｄに嵌合させておく。この裏蓋８４にクッション部材８１を重ね合わせ、フランジ部８４ｂ側から内側キャビネット８３のネジ軸部８３ａに固定ネジ８５を螺合させる。この固定ネジ８５を締め込むことにより、裏蓋８４及びクッション部材８１を介してマイクロホン装置３４がベースプレート６２に弾性的に支持される。
【００８４】
この実施例によれば、外装ケース２１側のベースプレート６２にはゴム状弾性体で形成された裏蓋８４とクッション部材８１が接触し、ベースプレート６２と一対のマイクロホン素子８０，８０との間には剛性の高い部材が介在しないため、電子機器の内部から回り込んでくる不要な音を拾わないようにすることができる。更に、内外側キャビネット８２，８３と一対のマイクロホン素子８０，８０との間にはクッション部材８１が介在しているため、キャビネットやフレーム等から伝わってくる振動音を拾わないようにすることができる。
【００８５】
本発明は、前述しかつ図面に示した実施の形態に限定されるものではなく、その要旨を逸脱しない範囲内で種々の変形実施が可能である。例えば、前記実施例では、カメラ一体型ＶＴＲに適用した例について説明したが、ビデオテープレコーダ、ＭＤレコーダ、カセットテープレコーダその他のマイクロホン装置を用いる各種の電子機器に適用できるものである。
【００８６】
【発明の効果】
以上説明したように、本出願の請求項１記載の電子機器によれば、ゴム状弾性体で形成した裏蓋を固定ネジでキャビネット側に固定する構成としたため、金属製の裏蓋の使用を廃止して、部品点数の削減と、構造の簡素化を図ることができ、マイクロホン装置及びこれが用いられる電子機器の小型化を図ることができるという効果が得られる。
【００８７】
本出願の請求項２記載の電子機器によれば、裏蓋の筒軸部を固定ネジで締め付ける構成としたため、締付部の強度を確保し、固定ネジの締め込みによる裏蓋の破損を防止することができるという効果が得られる。
【００８８】
本出願の請求項３記載の電子機器によれば、筒軸部に外装ケースを嵌め合わせる構成としたため、周囲の部品から浮かせて振動音がマイク組立体に伝わらないようにすると共に、マイクロホン装置が外装ケースから抜け難くすることができるという効果が得られる。
【図面の簡単な説明】
【図１】本発明の撮像装置の一実施例を示すもので、カメラ一体型ＶＴＲの閃光装置を格納位置に収納した状態の斜視図である。
【図２】図１に示すカメラ一体型ＶＴＲの閃光装置をポップアップ位置に跳ね上げた状態の斜視図である。
【図３】図１に示すカメラ一体型ＶＴＲの液晶ディスプレイを開いた状態を背面から見た斜視図である。
【図４】図１に示すカメラ一体型ＶＴＲの閃光装置のポップアップ機構等を説明するための斜視図である。
【図５】図１に示すカメラ一体型ＶＴＲの閃光装置を格納位置に収納した状態を示す説明図である。
【図６】図１に示すカメラ一体型ＶＴＲの閃光装置をポップアップ位置に跳ね上げた状態を示す説明図である。
【図７】本発明の撮像装置に係る閃光装置のポップアップ角度を説明するための説明図である。
【図８】図１に示すカメラ一体型ＶＴＲのマイクロホン装置を分解して示す斜視図である。
【図９】本発明の撮像装置に係るマイクロホン装置の断面図である。
【図１０】本発明の撮像装置に係る閃光装置の斜視図である。
【図１１】本発明の撮像装置に係る閃光装置を分解した斜視図である。
【図１２】本発明の撮像装置に係る閃光装置の反射鏡の断面図である。
【図１３】図１２に示す反射鏡の光路を説明するもので、図１３Ａは光が直接前方に放射される状態、図１３Ｂは光が平行平面で１次反射される状態、図１３Ｃは光が前側円筒面で１次反射される状態をそれぞれ示す説明図である。
【図１４】図１２に示す反射鏡の光路を説明するもので、図１４Ａは光が第１の反射面で反射される状態、図１４Ｂは光が傾斜平面で１次反射される状態、図１４Ｃは光が平行平面で１次反射される状態をそれぞれ示す説明図である。
【図１５】従来の閃光装置のポップアップ角度を説明するための説明図である。
【図１６】従来の電子機器のマイクロホン装置を示す説明図である。
【符号の説明】
２０…カメラ一体型ＶＴＲ（撮像装置）、  ２１…外装ケース、  ２３…光学レンズ、  ３３…閃光装置、  ３４…マイクロホン装置、  ３６…プロテクター、  ３８…反射鏡、  ６０…ストロボフレーム、  ６２…ベースプレート、  ６５…ポップアップバネ、  ６６…回動レバー、  ６７…プランジャー機構、  ７３…ストッパ部材、  ７４…ストッパ、  ７５…ストロボキャビネット、  ７７…目隠し板、  ８０…マイクロホン素子、  ８１…クッション部材、  ８２…外側キャビネット、  ８４…裏蓋、  ８５…固定ネジ
【図１】
2004304263.tif 000003
【図２】
2004304263.tif 000004
【図３】
2004304263.tif 000005
【図４】
2004304263.tif 000006
【図５】
2004304263.tif 000007
【図６】
2004304263.tif 000008
【図７】
2004304263.tif 000009
【図８】
2004304263.tif 000010
【図９】
2004304263.tif 000011
【図１０】
2004304263.tif 000012
【図１１】
2004304263.tif 000013
【図１２】
2004304263.tif 000014
【図１３】
2004304263.tif 000015
【図１４】
2004304263.tif 000016
【図１５】
2004304263.tif 000017
【図１６】
2004304263.tif 000018